(57)【特許請求の範囲】
【請求項１】
所定面積を有するステップ本体と、このステップ本体の表面に対してほぼ垂直に設けられた支持部とからなるステップを、順次連結してなる階段であって、上記ステップ本体は、所定の方向に長尺な長孔を有するとともに、上記支持部は、上記ステップ本体の表面に対して平行に配置される連結部を有し、下位のステップの上記長孔の長手方向の任意の個所で上位のステップの上記連結部を連結可能にしてなることを特徴とする法面設置用階段。
【請求項２】
所定面積の表面を水平に維持されるステップ本体と、このステップ本体の表面に対してほぼ垂直に設けられた支持部とからなるステップを、連結部材により順次連結してなる階段であって、上記ステップ本体には、長手方向を平行にしつつ所定の間隔を有する複数の長孔が貫設され、上記支持部には、上記ステップ本体の表面に対して平行に設けられた平板状の連結部が、貫通孔を有しつつ複数の該貫通孔ごとに設けられ、かつ該貫通孔が上記ステップ本体に設けられた長孔の間隔とほぼ同じ間隔となるように該連結部を配置し、上記連結部材を上位のステップの上記貫通孔に挿通するとき、該連結部材が該貫通孔と下位のステップの上記長孔の任意の個所とを同時に貫通できるように構成してなることを特徴とする法面設置用階段。
【請求項３】
前記ステップ本体の長孔は、その長手方向がステップの前後方向となるように設けられた長孔である請求項１または２記載の法面設置用階段。
【請求項４】
前記長孔は、その長手方向がステップの前後方向となるように設けられるとともに、該ステップの左右方向両側に所定の間隔を有して設けられた２本の長孔であり、前記連結部は、前記支持部の下端縁の一部に突設された連結部であり、この連結部に設けられる前記貫通孔は、前記連結部材が遊嵌できる程度の大きさで設けられた貫通孔である請求項２記載の法面設置用階段。
【請求項５】
前記支持部は、前記ステップ本体に連続する本体支持部と、この本体支持部に着脱自在に設けられ、かつ下端縁に前記連結部が設けられている連結支持部とからなる支持部である請求項１ないし４のいずれかに記載の法面設置用階段。
【請求項６】
前記本体支持部に前記連結支持部が装着される位置において、該本体支持部と連結支持部との双方に装着用の貫通孔を設け、上記両者の一方または双方には、上記装着用の貫通孔に対して高さ方向に適宜間隔で連続する複数の高さ調整用の貫通孔が設けられている請求項５記載の法面設置用階段。
【請求項７】
所定面積の表面を水平に維持されるステップ本体と、このステップ本体の表面に対してほぼ垂直に設けられた支持部とからなるステップを、連結部材により順次連結してなる階段であって、上記ステップ本体は、所定の間隔を有して貫設されてなる貫通孔を有し、上記支持部は、上記ステップ本体に連続する本体支持部と、この本体支持部に着脱自在に設けられた連結支持部とで構成され、上記本体支持部と上記連結支持部との双方に装着用の貫通孔を設けるとともに、この両者の一方または双方に上記装着用貫通孔に対して高さ方向に適宜間隔で連続する複数の高さ調整用の貫通孔を設け、上記連結支持部には、その下端に上記ステップ本体の表面に対して平行に設けられた平板状の連結部が、上記連結部材を遊嵌できる連結用の貫通孔を有しつつ複数の該貫通孔ごとに設けられ、かつ該連結用の貫通孔が上記ステップ本体に設けられた長孔の間隔とほぼ同じ間隔となるように該連結部を配置し、上記連結部材を上位のステップの上記連結用の貫通孔に挿通するとき、該連結部材が該連結用の貫通孔と下位のステップの上記ステップ本体の貫通孔とを同時に貫通できるように構成してなることを特徴とする法面設置用階段。
【請求項８】
前記ステップ本体は、ステップの手前側端縁に支持部が設けられ、その反対側端縁に下向きに突出するスペーサ部が設けられたステップ本体である請求項１ないし７のいずれかに記載の法面設置用階段。
【請求項９】
前記連結部は、アンカの接続を許容する連続部であり、上記アンカは、尖端部を有するアンカ本体と、このアンカ本体の頭部に設けられたブラケットとで構成されてなり、上記ブラケットを上記連結部の表面に当接しつつ該連結部に接続されるアンカである請求項１ないし８のいずれかに記載の法面設置用階段。
【発明の詳細な説明】
【０００１】
【発明の属する技術分野】
本発明は、高速道路等における法面の管理のために使用する階段に関し、特に、当該法面に備え付ける階段に関するものである。
【０００２】
【従来の技術】
一般的に、高速道路や鉄道の軌道敷地のような工事においては、トンネルを掘削したり高架橋を設けたりするほか、山の斜面等を切り開くことも多く、そのような場合、上記高速道路または軌道敷地の片側もしくは両側には斜状の法面ができる。この法面には、表面全体にコンクリートを打設し、またはコンクリートブロックを表面に埋め込むことによって、法面の崩壊を防止していた。しかし、このような工事においては時間の経過とともに補強し、または修復すべき個所が発生し得るため、工事完成後においても、法面の状況を点検する必要があり、その際、上記法面の点検用に階段が設置されていた。また、コンクリートの打設などを施さない場合もあり、この種の法面では、定期的に点検をする必要があった。
【０００３】
そこで、本出願の発明者は、特開平１２−１２９６８１号公報において開示する階段を開発し、コンクリートの打設等が施されていない地山に直接設置できる階段を提供するとともに、進行方向の障害物を迂回することのできる階段を提供した。また、同様に特開２０００−２３４３３６号公報において開示する階段を開発し、施工時間を短縮するとともに、ステップの法面への固定を強固にする階段を提供した。
【０００４】
【発明が解決しようとする課題】
しかしながら、上記の両技術は、ステップ本体の両側を支持部材によって連結し、この支持部材により上位のステップを階段状に、かつ設置位置を調整しつつ連結してなる構成であるため、下位のステップから徐々に上方に向けて階段を構築する際、上位のステップの位置決めに時間を要する場合があった。即ち、各段におけるステップは、それらの表面が法面の傾斜面から水平方向に突出するように設けられることによって、階段状に形成されるのであるところ、各段を構成するステップを設置する場合、ステップの手前側端縁は、支持部材によって法面よりも上方に支持されるが、ステップの奥側端縁は、法面に近接して支持され、または法面に直接的に当接されるものである。そして、高さ方向に配置される調整可能な支持部材（特開平１２−１２９６８１号）を使用する場合は、当該支持部材の一部がステップの奥側端縁よりさらに下方へ突出し、また、ステップの奥側端縁から法面側に配置される支持部材（特開２０００−２３４３３６号）を使用する場合は、当該支持部材の一部が奥側端縁よりさらに奥側へ突出することとなり、これらの突出する部分を法面に埋設していたのである。
【０００５】
本発明は、上記諸点にかんがみてなされたものであって、その目的とするところは、階段を構成するステップの奥側端縁から支持部材等が突出しない構成とすることにより、上位のステップの位置決めを容易にし、短時間で構築し得る階段を提供することである。
【０００６】
【課題を解決するための手段】
そこで、本発明は、所定面積を有するステップ本体と、このステップ本体の表面に対してほぼ垂直に設けられた支持部とからなるステップを、順次連結してなる階段であって、上記ステップ本体は、所定の方向に長尺な長孔を有するとともに、上記支持部は、上記ステップ本体の表面に対して平行に配置される連結部を有し、下位のステップの上記長孔の長手方向の任意の個所で上位のステップの上記連結部を連結可能にしてなることを特徴とする法面設置用階段を要旨とする。
【０００７】
また、本発明は、所定面積の表面を水平に維持されるステップ本体と、このステップ本体の表面に対してほぼ垂直に設けられた支持部とからなるステップを、連結部材により順次連結してなる階段であって、上記ステップ本体には、長手方向を平行にしつつ所定の間隔を有する複数の長孔が貫設され、上記支持部には、上記ステップ本体の表面に対して平行に設けられた平板状の連結部が、貫通孔を有しつつ複数の該貫通孔ごとに設けられ、かつ該貫通孔が上記ステップ本体に設けられた長孔の間隔とほぼ同じ間隔となるように該連結部を配置し、上記連結部材を上位のステップの上記貫通孔に挿通するとき、該連結部材が該貫通孔と下位のステップの上記長孔の任意の個所とを同時に貫通できるように構成してなることを特徴とする法面設置用階段をも要旨とするものである。
【０００８】
上記の場合、ステップ本体に設けられる長孔は、その長手方向がステップの前後方向となるように設けることが好ましく、また、この長孔を、ステップの左右方向両側に所定の間隔を有して設けられた２本の長孔とすることができる。一方、連結部は、支持部の下端縁の一部に突設することができ、この連結部に設けられる貫通孔は、上記の連結部材が遊嵌できる程度の大きさとするのが好ましい。
【０００９】
また、上記の支持部は、ステップ本体に連続する本体支持部と、下端に連結部を設けた連結支持部とで構成し、連結支持部が本体支持部に着脱自在に設けられる構成とすることができる。この場合、本体支持部に連結支持部が装着される位置において、本体支持部と連結支持部との双方に装着用の貫通孔を設け、上記両者の一方または双方に、上記装着用貫通孔から高さ方向に連続する高さ調整用の貫通孔を設けることが好ましい。
【００１０】
さらに、本発明は、所定面積の表面を水平に維持されるステップ本体と、このステップ本体の表面に対してほぼ垂直に設けられた支持部とからなるステップを、連結部材により順次連結してなる階段であって、上記ステップ本体は、所定の間隔を有して貫設されてなる貫通孔を有し、上記支持部は、上記ステップ本体に連続する本体支持部と、この本体支持部に着脱自在に設けられた連結支持部とで構成され、上記本体支持部と上記連結支持部との双方に装着用の貫通孔を設けるとともに、この両者の一方または双方に上記装着用貫通孔に対して高さ方向に適宜間隔で連続する複数の高さ調整用の貫通孔を設け、上記連結支持部には、その下端に上記ステップ本体の表面に対して平行に設けられた平板状の連結部が、上記連結部材を遊嵌できる連結用の貫通孔を有しつつ複数の該貫通孔ごとに設けられ、かつ該連結用の貫通孔が上記ステップ本体に設けられた長孔の間隔とほぼ同じ間隔となるように該連結部を配置し、上記連結部材を上位のステップの上記連結用の貫通孔に挿通するとき、該連結部材が該連結用の貫通孔と下位のステップの上記ステップ本体の貫通孔とを同時に貫通できるように構成してなることを特徴とする法面設置用階段を要旨としている。
【００１１】
上記いずれの場合においても、上記ステップ本体の手前側端縁に支持部を設け、その反対側の端縁に、下向きに突出するスペーサ部を設けることができる。また、階段構築においては、ステップを法面に固定するアンカを使用することができ、そのアンカは、尖端部を有するアンカ本体と、このアンカ本体の頭部に設けられたブラケットとで構成されてなり、上記アンカのブラケットを上記連結部の表面に当接することにより、連結部材によって当該アンカと連結部とを連結させることができる。
【００１２】
【発明の実施の形態】
以下、本発明の実施の形態を図面に基づいて説明する。まず、第一の実施形態は、図１に示すようなステップＡが、順次連結されることにより階段が構成されるものであるところ、当該ステップＡの構造について詳細に説明する。本実施形態に使用するステップＡは、所定の面積を有するステップ本体１と、このステップ本体１の前側端縁において下向きに配置された支持部２とで構成されており、さらに支持部２の下端には連結部３，４が設けられ、この連結部３，４は、平板状に構成されているとともに、その表面が上記ステップ本体１の表面に平行に設けられている。
【００１３】
ここで、上記のステップ本体１の表面は、階段を構築するとき水平方向に向けて設置されるものであり、上記連結部３，４も同様に水平な状態で配置されることとなるのである。一方、上記支持部２は、上記ストッパ本体１の表面に対してほぼ垂直に配置されており、ステップ本体１の手前側端縁は、この支持部２によって連結部３，４から上方に支持されることとなるのである。なお、本実施形態におけるステップＡでは、上記のステップ本体１、支持部２および連結部３，４が、一枚の金属製平板を適宜個所で折曲して構成されたものである。
【００１４】
上記ステップ本体１には、幅方向Ｘに所定の間隔を有して長孔１１，１２が貫設されており、この長孔１１，１２の長手方向は、ステップ本体１の前後方向（階段の連結方向）Ｙに向かって、相互に平行な状態で設けられている。また、連結部３，４は、支持部２の下端において、その両端付近（ステップ本体１の幅方向Ｘの両端付近）にそれぞれ１個ずつ設けられており、この両連結部３，４にそれぞれ連結用の貫通孔３１，４１が設けられている。そして、この連結用貫通孔３１，４１の中心間距離は、上記長孔１１，１２の長手方向中心線間の距離に一致して設けられているのである。
【００１５】
従って、図示のように、下位のステップＡａが設けられている状態においては、上位のステップＡを連結するとき、上位のステップＡの連結用貫通孔３１，４１が、下位のステップＡａのステップ本体１ａに設けられている長孔１１ａ，１２ａに重なるように、当該上位のステップＡを載置するのである。このように、上位のステップＡの連結用貫通孔３１，４１を下位のステップＡａの長孔１１ａ，１２ａに重ねた状態で、連結部材（本実施形態ではボルト）５１，６１を個別に挿通させ、これを下位のステップＡａのステップ本体１ａの裏面においてナット５２，６２により締着させることによって、上位のステップＡと下位のステップＡａとが連結されるのである。
【００１６】
上記ステップ本体１に設けられる長孔１１，１２の個々の幅は、連結部材として使用される上記ボルト５１，６１の軸部の外径とほぼ同一に設けられており、長孔１１，１２に挿通されるボルト５１，６１は、長孔１１，１２の長手方向Ｙに沿った移動のみが許容されるのである。一方、上記連結部３，４に設けられる連結用貫通孔３１，４１は、長孔１１，１２の幅よりも大径の円形に設けられており、ボルト５１，６１を挿通するとき、遊びを有するように構成されている。
【００１７】
上記のように構成することにより、図２に示すように、下位のステップＡａに上位のステップＡを連結するとき、下位のステップＡａの前後方向Ｙに対する上位のステップＡの位置調整は、上記長孔１１ａ，１２ａと連結用貫通孔３１，４１との位置関係により行われることとなる。即ち、連結用貫通孔３１，４１がボルト５１，６１（図１）との間で有する遊びの範囲内において、前後方向Ｙに対する上位のステップＡのステップ本体１の角度を調整することができるのである。なお、この角度調整は、ステップＡの連結により構築される階段の設置場所に障害物等が存在する場合、これを迂回するためのものである。
【００１８】
このようなステップ本体１の相対的な位置および角度は、上記ボルト５１，６１に螺合するナット５２，６２の締め付けによって固定的とされる。即ち、ボルト５１，６１とナット５２，６２との締め付けにより、両者の中間において、下位のステップ本体１ａおよび上位のステップＡの連結部３，４が強固に挟着されることとなり、当該ボルト５１，６１は、長孔１１ａ，１２ａの長手方向Ｘへの移動を抑止されるとともに、連結用貫通孔３１，４１との間で有する遊びが作用しなくなるのである。
【００１９】
なお、本実施形態では、ステップＡと法面との固定を強固にすべくアンカを装着することができるものである。このアンカ７，８は、図１において示しているように、尖端部７１，８１を有するとともに、頭部にはブラケット７２，８２が設けられており、このブラケット７２，８２には、既述の連結用貫通孔３１，４１と同様の貫通孔７３，８３が貫設されている。このアンカ７，８を使用するときは、上位のステップＡの連結部３，４を下位のステップＡａのステップ本体１ａに載置し、貫通孔３１，４１を長孔１１ａ，１２ａに重ねた状態で使用するものであって、この状態で、連結部３，４の近傍の法面に上記アンカ７，８を打ち込むことにより、アンカ７，８のブラケット７２，８２を連結部３，４に当接させるのである。さらに、上記アンカ３，４のブラケット７２，８２に設けられている貫通孔７３，８３が、上記連結用貫通孔３１，４１に一致するように調整し、このブラケット７３，８３をも同時にボルト５１，６１およびナット５２，６２により締着固定することによって、ステップＡ，Ａａと法面との強固な固定を実現するのである。
【００２０】
また、本実施形態では、ステップ本体１の奥側端縁にスペーサ部１３が設けられており、ステップＡが法面上に設置されるとき、このスペーサ部１３が当該法面の表面に当接する部分として機能するのである。このスペーサ部１３は、平板状であるステップ本体１の奥側端縁を折曲して構成されているため、当該端縁部分を補強する効果を有するとともに、ステップＡを法面に当接するとき、ステップ本体１と法面の表面とに間隙を構成させることができるものである。そこで、ステップ本体１の裏面において既述のナット５２，６２を装着する作業の際には、上記間隙を利用できるため、既述のボルト５１，６１に対するナット５２，６２の装着を容易にするものである。
【００２１】
本実施形態の階段に使用するステップＡは上記のような構成であるから、図３に示すように、最下位のステップＡａを設置した後、次順位のステップＡｂ、さらに次々順位のステップＡｃを順次連結することによって、階段を構築することができるのである。この場合、最下位のステップＡａの固定については、連結部３ａ，４ａを通常のアンカ（頭部に係止部、先端を尖端としてなるアンカ）９を使用して、法面１００に固定することができるものである。そして、次順位および次々順位のステップＡｂ，Ａｃは、これらよりも下位のステップＡａ，Ａｂの上方に載置されつつ、連結部材であるボルト５１ａ・・・とナット５２ａ・・・により連結されるのである。
【００２２】
最下位のステップＡａが固定されると、このステップＡａのステップ本体１ａに次順位のステップＡｂの連結部３ｂ，４ｂを載置するのであるが、この場合、まず、次順位のステップＡｂの奥側端縁に設けられているスペーサ部１３ｂが法面１００の表面に当接すると同時に、連結部３ｂ，４ｂの裏面が下位のステップＡａのステップ本体１ａの表面に密着できる状態となるように、当該次順位のステップＡｂを前後方向（図中左右方向）に移動して調整する。このような前後方向（図中左右方向）の位置が調整した時点で、次順位のステップＡｂの連結部３ｂ，４ｂに設けられている連結用貫通孔３１，４１（図１）が、ステップ本体１ａの長孔１１，１２（図１）の任意の個所で重なるように配置する。引き続き、座金５３，６３（図１）を介したボルト５１ａによって、連結用貫通孔３１，４１の上方から、当該連結用貫通孔３１，４１および長孔１１，１２を同時に挿通することにより、次順位のステップＡｂの仮止めを行うことができる。ここで、上記連結用貫通孔３１，４１の遊びを利用して、当該次順位のステップＡｂの方向を調整し（図２参照）、この調整の後、下位のステップＡａのステップ本体１ａの裏面側に、座金５４，６４（図１）を介しつつナット５２ａを上記ボルト５１ａに装着して固定するのである。なお、アンカ７，８（図１）を使用する場合は、ナット５２ａの装着前に法面１００に打ち込むのである。
【００２３】
上記のとおり、連結される次順位のステップＡｂは、図示の法面１００のように平滑な斜面でない場合であっても、当該ステップＡｂの奥側端縁に設けられるスペーサ部１３ｂを法面１００の表面に当接させつつ設置することができるので、階段の構築を容易にするものである。
【００２４】
次に、本発明の第二実施形態に使用するステップについて説明する。本実施形態におけるステップは、図４に示すように、第一実施形態におけるステップＡの支持部２が、ステップ本体１０１に連続する本体支持部１２１と、連結部１０３，１０４に連続する連結支持部１２２とで構成されたものであるとともに、ステップ本体１０１には長孔に代えて貫通孔１１１，１１２が設けられているものである。上記の本体支持部１２１は、一枚の金属製平板をほぼ垂直に折曲して構成したものであって、ステップ本体１０１の表面に対して、本体支持部１２１の表面がほぼ垂直となっている。また、連結支持部１２２は、上記本体支持部１２１と同程度の面積を有する平板で構成され、その下端において、垂直方向に突出する連結部１０３，１０４が設けられており、上記本体支持部１２１と連結支持部１２２とを密着させるとき、連結部１０３，１０４が、ステップ本体１０１の表面に平行な状態となるように構成されている。
【００２５】
また、上記本体支持部１２１および連結支持部１２２の双方には、それぞれ高さ方向Ｚに平行な３列の貫通孔群１２３ａ〜１２３ｃ，１２４ａ〜１２４ｃが設けられており、これらの本体支持部１２１と連結支持部１２２とを密着させるとき、各貫通孔群１２３ａ〜１２３ｃ，１２４ａ〜１２４ｃが、それぞれ対向するように配置されているのである。
【００２６】
そこで、本体支持部１２１に対して、連結支持部１２２の高さ方向Ｚの位置を調整し、本体支持部１２１の貫通孔群１２３ａ〜１２３ｃのいずれかの貫通孔に、連結支持部の貫通孔群１２４ａ〜１２４ｃのいずれかの貫通孔を合致させることによって、ステップ本体１０１の表面と、連結部１０３，１０４との高さ方向Ｚの長さを変更できる構成となっている。上記のような高さ方向Ｚの調整後の固定は、３列の貫通孔群１２３ａ〜１２３ｃ，１２４ａ〜１２４ｃの一列ごとに、それぞれ１個のボルト１２５ａ〜１２５ｃの螺着によって行われる。そのため、少なくとも本体支持部１２１の貫通孔群１２３ａ〜１２３ｃには、雌ネジが刻設されている。従って、連結支持部１２２の貫通孔群１２４ａ〜１２４ｃを挿通した各ボルト１２５ａ〜１２５ｃを、本体支持部１２１の貫通孔群１２３ａ〜１２３ｃに螺合することにより、本体支持部１２１に連結支持部１２２を装着し得るのである。なお、この場合、連結支持部１２２に設けられている貫通孔群１２４ａ〜１２４ｃにも同様の雌ネジを螺刻する構成とすることができ、また、本体支持部１２１の裏面側からナットで締着させることも可能である。
【００２７】
本実施形態は、上記のような構成であるので、図５に示すように、ステップ本体１０１から連結部１０３，１０４までの高さ方向Ｚの長さを変更することにより、法面１００の角度に応じてステップＢの状態を変化させることができるのである。即ち、連結支持部１２２の上端をステップ本体１０１の表面と同じ高さにするとき（図５（ａ））、連結部１０３，１０４は本体支持部１２１の下端とほぼ同じ位置に配置されることとなり、ステップ本体１０１から連結部１０３，１０４までの高さ方向Ｚの長さＨ１は、本体支持部１２１の高さ方向Ｚの長さとほぼ等しい状態にすることができ、緩斜面の法面１００に対応することができる。また、連結支持部１２２の上端をステップ本体１０１の表面よりの下方に配置させることにより（図５（ｂ））、連結部１０３，１０４は、本体支持部１２１の下端よりも下方に位置することとなり、ステップ本体１０１から連結部１０３，１０４までの高さ方向Ｚの長さＨ２を、本体支持部１２１の高さ方向Ｚの長さよりも長くすることができ、上述の状態よりも急斜面の法面１００に対応できる。さらに、連結支持部１２２の貫通孔群１２４ａ〜１２４ｃ（図４）のうち、最も上方に位置する貫通孔と、本体支持部１２１の貫通孔群１２３ａ〜１２３ｃ（図４）のうちの最も下方に位置する貫通孔とを連結することにより（図５（ｃ））、本体支持部１２１に対する連結支持部１２２の位置を最も低い状態とすることができ、この場合、ステップ本体１０１から連結部１０３，１０４までの高さ方向Ｚの長さＨ３を、一層長くすることができ、最も急激な斜面の法面１００に対応できるのである。
【００２８】
上記のようなステップＢを使用する場合は、予定される法面１００の傾斜に対応できるように、連結部１０３，１０４の高さを予め調整しておき、階段を構築する現場において、不具合がある場合にだけその部分を調整すればよいのであり、階段構築を円滑かつ容易に行うことができる。なお、本実施形態におけるステップＢでは、第一実施形態におけるステップＡ（図１）とは異なり、ステップ本体１０１の所定個所には、連結用の円形貫通孔１１１，１１２が設けられているのみであり、長孔１１，１２（図１）を設けていないことから、ステップＢの前後方向（連結方向）への調整が不要である。但し、連結部１０３，１０４に設ける連結用貫通孔１３１，１４１（図４）は、第一実施形態と同様に、連結部材として使用するボルト５１，６１（図１）が遊嵌できる程度の大きさに設けられており、このボルト５１，６１が遊嵌される状態で許容される遊びの範囲内で、連結部１０３，１０４の連結状態を調整することができ、この調整によりステップＢの前後方向の角度を調整することができるものである。さらに、ステップ本体１０１の奥側端縁にはスペーサ部１１３が設けられており、上記ボルト５１，６１にナット５２，６２（図１）を装着する際の空間を確保し得る構成となっている。
【００２９】
本発明の実施形態は、上記のとおりであるが、本発明の趣旨を逸脱しない範囲において、種々の態様をとることができる。例えば、第一実施形態に使用するステップＡについて、長孔１１，１２および連結部３，４の貫通孔３１，４１は、それぞれ２個として説明したが、この数に制限されるものではない。また、第二実施形態に使用するステップＢにおいて、本体支持部１２１および連結支持部１２２には、それぞれ貫通孔群１２３ａ〜１２３ｃ，１２４ａ〜１２４ｃが設けられた形態についてのみ示したが、いずれか一方に設けた場合であっても、連結支持部１２２の高さを調整できるものである。また、上記各貫通孔群１２３ａ〜１２３ｃ，１２４ａ〜１２４ｃの個数は、図面に示した範囲に制限されるものでないことは当然である。
【００３０】
また、上述した二種類のステップＡ，Ｂの中間的な態様とすることができる。例えば、第二実施形態に使用するステップＢにおいて、ステップ本体１０１に長孔を設ける構成とすることも可能である。この場合、図６に示すように、本体支持部２２１と連結支持部２２２との装着状態に応じて、ステップ本体２０１の表面と連結部２０３，２０４との高さ方向Ｚの距離を変化させることができ、この場合の装着状態の変更は、ボルト２２５ａ〜２２５ｃによって容易に行うことができる。そして、上記のような高さの変更に加え、下位のステップと上位のステップとの前後方向Ｙの位置関係をも調整できることとなるのである。このように構成することにより、予め、連結部２０３，２０４を所定の高さに調整しておいたステップＣを順次連結して階段を構築する場合、法面に設置できない状況下においてのみ調整すればよく、この調整には、上記の高さ方向Ｚの距離を変更するか、または前後方向Ｙに対する距離を変更するかを選択することができるのである。また、長孔２１１，２１２と連結用貫通孔２３１，２４１を利用することにより、上位のステップＣの角度を調整することができる。
【００３１】
また、上記各ステップＡ，Ｂ，Ｃにおいて、ステップ本体１，１０１，２０１の奥側端縁には、下方に僅かに突出するスペーサ１３，１１３，２１３を設けたが、これは、連結作業を容易にするほか、法面１００との当接部分を補強するための構造上の特徴をも有している。従って、強度上および作業上に支障を来さない場合は、このスペーサ１３，１１３，２１３を設けるには及ばない。なお、支持部２または連結支持部１２２，２２２の下端縁のように、下位のステップに直接当接される部分についても、上記スペーサ１３，１１３，２１３に類似の構造とすることができる。即ち、例えば、図６に示しているように、連結支持部２２２の下端縁において、連結部２０３，２０４と同様に水平な方向に僅かに突出する補強部２３０を設ける構成とすることができるのである。
【００３２】
また、第一実施形態の階段構築の説明においてのみアンカ７，８，９の使用について説明したが、いずれの実施形態におけるステップＡ，Ｂ，Ｃは、アンカ７，８，９を使用できる構成となっていることが明らかであり、かつ、上記アンカ７，８，９を使用することにより、法面１００に対して強固に固定することができることは当然である。
【００３３】
【発明の効果】
以上のとおり、本発明によれば、階段を構成するステップの奥側端縁を法面の表面に直接当接させることができるので、ステップの奥側端縁から、さらに奥向きおよび下向きに支持部材等が突出することがなく、階段構築の際に上位のステップの位置決めが迅速かつ容易となり、短時間で階段を構築し得ることとなる。
【００３４】
また、本発明によれば、階段を構成する各ステップの支持部はステップ本体の前側端縁に設けられており、上位のステップの位置調整または方向調整は、その支持部を下位のステップのステップ本体表面に載置させた状態を確認することによって可能となるので、階段の構築作業において最下位のステップから上位に向かって順次連結する際、既設の下位のステップにおけるステップ表面において、連結すべき上位のステップの支持部の状態を調整すれば、連結すべきステップを所望の状態で設置することができる。
【００３５】
さらに、下位のステップのステップ本体に設けた長孔と、上位のステップの連結部に設けた連結用貫通孔とが連結する位置を変化させることによって、特に、上記長孔の長手方向に沿って上記連結用貫通孔の位置を移動させることによって、下位のステップにおける奥側端縁から上位のステップにおける奥側端縁に至る直線的な傾斜角度を変化することができ、設置すべき法面の傾斜に対応して階段を構築することができる。また、支持部を本体支持部と連結支持部とで構成してなる本発明によれば、上記両部材の装着状態を変化させることで、連結部の高さを容易に変更することができ、このような連結部の高さ変更によっても、下位のステップにおける奥側端縁から上位のステップにおける奥側端縁に至る直線的な傾斜角度を変化することができ、設置すべき法面の傾斜に対応して階段を構築することができるのである。しかも、上記傾斜角度の変更は、いずれの発明においても容易なものである。
【図面の簡単な説明】
【図１】第一実施形態におけるステップの説明図である。
【図２】第一実施形態におけるステップを連結する際の状態を示す説明図である。
【図３】第一実施形態におけるステップの使用態様を示す説明図である。
【図４】第二実施形態におけるステップの説明図である。
【図５】第二実施形態におけるステップの使用態様を示す説明図である。
【図６】他の実施形態におけるステップの斜視図である。
【符号の説明】
１，１０１，２０１  ステップ本体
２  支持部
３，４，１０３，１０４，２０３，２０４  連結部
７，８，９  アンカ
１１，１２，２１１，２１２  長孔
１３，１１３，２１３  スペーサ部
３１，４１，１３１，１４１，２３１，２４１  連結用貫通孔
５１，６１  ボルト
５２，６２  ナット
７２，８２  ブラケット
７３，８３  貫通孔
１００  法面
１２１，２２１  本体支持部
１２２，２２２  連結支持部
１２３ａ，１２３ｂ，１２３ｃ，１２４ａ，１２４ｂ，１２４ｃ  貫通孔群
１２５ａ，１２５ｂ，１２５ｃ，２２５ａ，２２５ｂ，２２５ｃ  ボルト
Ａ，Ａａ，Ａｂ，Ａｃ，Ｂ，Ｃ  ステップ
【図１】
0003693639.tif 000002
【図２】
0003693639.tif 000003
【図３】
0003693639.tif 000004
【図４】
0003693639.tif 000005
【図５】
0003693639.tif 000006
【図６】
0003693639.tif 000007